(57)【要約】【課題】従来のスノーボード用ビンディングにおいては使用時のビンディングのベースプレートの変形量とフィーリングを任意に調整できない欠点があった。【解決手段】本発明のスノーボード用ビンディングは、ベースプレートと一体の、またはこれに併設される、複数の凹部を有するスペーサと、上記複数の凹部に係合される上記スペーサより硬質の係合部材とを有する。上記係合部材は互いに異なる硬さのものである。【選択図】  図１
2004305462.tif 000002
【特許請求の範囲】
【請求項１】
ベースプレートに併設される、複数の係合部を有するスペーサと、上記複数の係合部に係合される係合部材とを有することを特徴とするスノーボード用ビンディング。
【請求項２】
上記係合部材が上記スペーサより硬質であることを特徴とする請求項１記載のスノーボード用ビンディング。
【請求項３】
上記係合部材が互いに硬さの異なるものであることを特徴とする請求項１または２記載のスノーボード用ビンディング。
【請求項４】
係合部を裏面に有するベースプレートと、上記係合部に係合される係合部材とより成ることを特徴とするスノーボード用ビンディング。
【請求項５】
上記係合部材が上記ベースプレートより硬質であることを特徴とする請求項４記載のスノーボード用ビンディング。
【請求項６】
上記係合部材が夫々複数であり、上記係合部材が互いに硬さの異なるものであることを特徴とする請求項４または５記載のスノーボード用ビンディング。
【発明の詳細な説明】
【０００１】
【発明の属する技術分野】
本発明はスノーボード用ビンディング、特に、硬さや撓み量を変化できるスノーボード用ビンディングに関するものである。
【０００２】
【従来の技術】
従来、スノーボード用ビンディングは既知である（特許文献１）。
【０００３】
【特許文献１】
特開平１１−２２６１７１号公報（第１頁〜第３頁、図１）。
【０００４】
図５は従来のスノーボード用ビンディングの斜視図であって、１はスノーボード本体（図示せず）に固定されるベースプレート、２はブーツの後面に対接されるよう上記ベースプレート１に連結されたハイバック、３は上記ブーツの甲部を締め付けるため上記ベースプレート１に設けたアンクルストラップ、４は上記ブーツのつま先を締め付けるため上記ベースプレート１に設けたトゥーストラップ、５はベルト締付用バックル、６は上記ベースプレート１をスノーボード本体に固定するため上記ベースプレート１の中央部に設けた取付穴を示す。
【０００５】
【発明が解決しようとする課題】
上記従来のビンディングをユーザーが店頭で購入する時、使用時のビンディングのベースプレートの変形量すなわち撓む・撓まない，柔らかい・硬いなどのフィーリングを正確に判断することは難しく、また、実際に使用してみないと自分の好みがどの程度の変形量にあるのかある程度の経験を積んでからでないと分からない部分が多く、最初に自分の好みに合わないビンディングを購入した場合には、我慢して使用するか、再度購入しなおす必要があった。
【０００６】
また、滑走内容により異なる変形量のビンディングを使用する場合には、複数のビンディングを購入する必要があり、費用がかかるという欠点があった。
【０００７】
本発明は上記のような欠点を除くようにしたものである。
【０００８】
【課題を解決するための手段】
本発明のスノーボード用ビンディングは、ベースプレートに併設される、複数の係合部を有するスペーサと、上記複数の係合部に係合される係合部材とを有することを特徴とする。
【０００９】
上記係合部材は、上記スペーサまたはベースプレートより硬質であることを特徴とする。
【００１０】
また、本発明のスノーボード用ビンディングは、係合部を裏面に有するベースプレートと、上記係合部に係合される係合部材とより成ることを特徴とする。
【００１１】
また、上記係合部材は、複数であり、互いに硬さの異なるものであることを特徴とする。
【００１２】
【発明の実施の形態】
以下図面によって本発明の実施例を説明する。
【００１３】
図１は本発明のスノーボード用ビンディングの第１実施例の裏面斜視図を示し、本発明においてはベースプレート１の裏面に上記ベースプレート１の穴６に合致する穴７を中央部に有するスポンジやウレタン樹脂等の弾性素材の１枚またはそれ以上の板状スペーサ８を貼付するか、または、ベースプレート１の裏面とスノーボード本体（図示せず）との間に介挿せしめる。
【００１４】
上記スペーサ８には長さが夫々異なる、例えば２種類の多数の貫通するまたは貫通しない細長い溝等の凹部９，１０を上記穴７の中心に向って放射状に設け、この凹部９，１０に夫々これに合致する長さ及び厚さの、上記スペーサ８より硬質素材の例えばナイロン樹脂等の嵌合部材１１，１２を選択的に嵌合自在ならしめる。
【００１５】
本発明の第１実施例におけるスノーボード用ビンディングは上記のような構成であるから、嵌合部材１１、１２が嵌合された部分に対応するベースプレート１部分の圧縮方向の硬度が大きくなる。従って、嵌合部材１１，１２を嵌合した部分のスペーサ８は圧縮時に潰れることが抑制され希望する方向に対して力が掛かった場合のビンディングの変位量を任意に調整できるようになる。なお、上記凹部９，１０の向きは任意に設定しても良い。
【００１６】
図２は本発明のスノーボード用ビンディングの第２の実施例を示し、この実施例においては上記第１実施例における凹部の代りに孔等の凹部１３を設ける。
【００１７】
本発明の上記第２実施例において凹部１３を総べて同一直径のものとすれば嵌合部材１４として同一外径の一種類のものを用意すれば良い利点がある。
【００１８】
なお、本発明の上記嵌合部材１１，１２，１４の厚さは夫々上記凹部９，１０，１３の深さより大きくしても良く、また、上記スペーサ８は左右に分割したものや、左右前後に分割したものとしても良く、更に、ベースプレート１に対してねじ止めしても良い。
【００１９】
図３及び図４は本発明のスノーボード用ビンディングの第３の実施例を示し、この実施例においては上記スペーサ８を用いず、ベースプレート１の裏面に複数の凹部１５を形成し、この凹部１５に嵌合される大きさ、形状の凸部１６をこれに対応する位置でその表面に有するスポンジ、ゴム、エラストマー樹脂、硬質樹脂等の１個または複数個の係合部材１７を用い、この係合部材１７の裏面がスノーボード本体に対接されるようにする。
【００２０】
この第３の実施例においては必要に応じて上記ベースプレート１の穴６に合致する穴７を有するリング１８を用いる。
【００２１】
上記係合部材１７が複数の場合には互いにその硬度を異ならしめることができる。また、これらは図３に示すように穴７の中心に向って放射状に延びるものにしても良く、また、ジグソーパズルのような形状に分割されたものでも良い。更に、上記ベースプレート１には凹部１５に代えて凸部１６を設け、上記係合部材１７に凹部１５を設けても良い。
【００２２】
なお、上記何れの実施例においても互いに硬さの異なる係合部材１１，１２，１４及び１７を色，記号，模様及び形状において異なるようにすれば、その識別が容易となる。
【００２３】
【発明の効果】
上記のように本発明のスノーボード用ビンディングによれば、縦，横好みの方向に個別にその硬さを変えて使用時のビンディングのベースプレートの変形量とフィーリングを任意に調整できるようになる大きな利益がある。
【図面の簡単な説明】
【図１】本発明のスノーボード用ビンディングの第１実施例の裏面の斜視図である。
【図２】本発明のスノーボード用ビンディングの第２実施例におけるベースプレートの裏面の斜視図である。
【図３】本発明のスノーボード用ビンディングの第３実施例の斜視図である。
【図４】図３に示すスノーボード用ビンディングの部分断面図である。
【図５】従来のスノーボード用ビンディングの斜視図である。
【符号の説明】
１  ベースプレート
２  ハイバック
３  アンクルストラップ
４  トゥーストラップ
５  ベルト締付用バックル
６  取付穴
７  穴
８  スペーサ
９  凹部
１０  凹部
１１  嵌合部材
１２  嵌合部材
１３  凹部
１４  嵌合部材
１５  凹部
１６  凸部
１７  係合部材
１８  リング
【図１】
2004305462.tif 000003
【図２】
2004305462.tif 000004
【図３】
2004305462.tif 000005
【図４】
2004305462.tif 000006
【図５】
2004305462.tif 000007